(57)【要約】【課題】  単漢字変換若しくはカタカナ変換を利用した入力又はユーザ辞書登録という負荷をかけないことを課題とする。【解決手段】  単語変換機能を有する携帯端末１０１と、携帯端末１０１と通信可能なサーバ１２０とが接続される通信ネットワークシステムの通信方法において、携帯端末１０１は、単語変換があった場合に、未登録単語か否かを判断し判断の結果、未登録単語である場合、単語変換された単語と単語の読み仮名と携帯端末１０１のユーザとをサーバに送信すること、及び、サーバは、未登録単語に関する情報を受信した場合、単語と単語の読み仮名と携帯端末１０１のユーザとユーザが使用する単語の頻度とを登録する。【選択図】  図１
2005258888.tif 000002
【特許請求の範囲】
【請求項１】
単語変換機能を有する携帯端末と、当該携帯端末と通信可能なサーバとが接続される通信ネットワークシステムの通信方法において、
前記携帯端末は、単語変換があった場合に、未登録単語か否かを判断し当該判断の結果、未登録単語である場合、当該単語変換された単語と当該単語の読み仮名と当該携帯端末のユーザとを前記サーバに送信すること、及び
前記サーバは、前記未登録単語に関する情報を受信した場合、当該単語と当該単語の読み仮名と当該携帯端末のユーザと当該ユーザが使用する単語の頻度とを登録することを特徴とする通信ネットワークシステムの通信方法。
【請求項２】
前記サーバは、前記未登録単語を使用するユーザの数を確認し、さらに、
前記未登録単語が使用される頻度を確認すること、及び
前記ユーザの数及び前記頻度が所定値以上である場合、前記未登録単語を所定の領域に登録することを特徴とする請求項１記載の通信ネットワークシステムの通信方法。
【請求項３】
前記携帯端末が前記所定の領域に登録された単語を要求するか、又は前記サーバが前記携帯端末に通知したとき、当該所定の領域に登録された単語を、前記携帯端末に送信することを特徴とする請求項２記載の通信ネットワークシステムの通信方法。
【請求項４】
単語変換機能を有する携帯端末と、当該携帯端末と通信可能なサーバとが接続される通信ネットワークシステムにおいて、
前記携帯端末は、変換された単語が未登録であるか否かを判断する手段と、
前記変換された単語と当該単語の読み仮名と当該携帯端末のユーザとを前記サーバに送信する手段と、を備え、
前記サーバは、前記送信手段が送信した情報を受信する手段と、
当該単語と当該単語の読み仮名と前記携帯端末のユーザと当該ユーザが使用する単語の頻度とを登録する手段と、を備えており、ここで、
前記携帯端末は、前記単語変換があった場合、前記変換された単語が未登録であるか否かを判断し未登録である場合、前記送信手段で送信し、
前記サーバは、前記受信手段による受信があった場合、前記登録手段によって登録することを特徴とする通信ネットワークシステム。
【請求項５】
前記サーバは、前記未登録単語を使用するユーザの数を確認する手段と、
前記未登録単語が使用される頻度を確認する手段と、
前記未登録単語を所定の領域に登録する手段と、をさらに備えており、ここで、
前記ユーザの数及び前記頻度が所定値以上である場合、前記未登録単語を前記登録手段で登録することを特徴とする請求項４記載の通信ネットワークシステム。
【請求項６】
前記サーバは、前記所定の領域に登録された未登録単語を前記携帯端末に送信する手段をさらに備え、ここで、
前記携帯端末が前記所定の領域に登録された単語を要求するか、又は前記サーバが前記携帯端末に通知したとき、当該単語を前記携帯端末に前記送信手段で送信することを特徴とする請求項５記載の通信ネットワークシステム。
【請求項７】
単語変換機能を有する携帯端末と、当該携帯端末と通信可能なサーバとが接続される通信ネットワークシステムの前記携帯端末において、
変換された単語が未登録であるか否かを判断する手段と、
前記変換された単語と当該単語の読み仮名と当該携帯端末のユーザとを前記サーバに送信する手段と、を備え、ここで、
前記携帯端末は、前記単語変換があった場合、前記判断手段で前記変換された単語が未登録であるか否かを判断し、未登録である場合、前記送信手段で送信することを特徴とする携帯端末。
【請求項８】
単語変換機能を有する携帯端末と、当該携帯端末と通信可能なサーバとが接続される通信ネットワークシステムの前記サーバにおいて、
前記単語変換があった旨を受信する手段と、
当該単語と当該単語の読み仮名と前記携帯端末のユーザと当該ユーザが使用する単語の頻度とを登録する手段と、を備えており、ここで、
前記受信手段による受信があった場合、前記登録手段によって登録することを特徴とするサーバ。
【請求項９】
前記未登録単語を使用するユーザの数を確認する手段と、
前記未登録単語が使用される頻度を確認する手段と、
前記未登録単語を所定の領域に登録する手段と、を備えており、ここで、
前記ユーザの数及び前記頻度が所定値以上である場合、前記未登録単語を前記登録手段で登録することを特徴とする請求項８記載のサーバ。
【請求項１０】
前記所定の領域に登録された単語を前記携帯端末に送信する手段をさらに備え、ここで、
前記携帯端末が前記所定の領域に登録された単語を要求するか、又は前記サーバが前記携帯端末に通知したとき、当該単語を前記携帯端末に前記送信手段で送信することを特徴とする請求項９記載のサーバ。
【発明の詳細な説明】
【技術分野】
【０００１】
本発明は、単語変換機能を有する携帯端末を備える通信ネットワークシステム、その通信方法、携帯端末及びサーバに関し、特に、変換精度を高めた変換データを通信ネットワークシステム、その通信方法、携帯端末及びサーバに関する。
【背景技術】
【０００２】
携帯端末のようなメモリ容量制限のきびしい製品の場合、搭載する日本語変換辞書に登録する単語は厳選され、使用頻度の高いものを搭載しなければならない。
【０００３】
しかしながら、完全に使用頻度の高い単語だけを調べることには限界があり、登録辞書に漏れも発生する。また、スポットや人名のような時事的な単語や、何かの話題から使用頻度の上がった単語まで登録することは困難である。 
【０００４】
そこで、逆に、ユーザが「内蔵辞書に登録されていないがために、ユーザ辞書登録した」、又は「同様の理由で、単漢字変換又はカタカナ変換により入力している」単語を集め、その単語の複数ユーザの使用頻度を元に「よく使用される単語」、「個人の造語ではない単語」を切り分けて未登録単語を集めることにより、ユーザがもっともよく使用する未登録単語辞書を自動作成しようというものである。 
【０００５】
この辞書をサーバより携帯端末に配信することにより、本辞書をユーザの共有財産的に使用できるだけでなく、内蔵辞書ではないために、常に更新をした辞書とすることができる点の効果が大きい。したがって、有限の容量で使用頻度の高い辞書を作成したり、また常にもっともよく使用される単語を登録することができる。 
【特許文献１】特開平１１−２７２６６１号公報
【発明の開示】
【発明が解決しようとする課題】
【０００６】
携帯端末のようなメモリ容量制限のきびしい製品の場合、搭載する日本語変換辞書に登録する単語は厳選され、使用頻度の高いものを搭載しなければならない。しかし、完全に使用頻度の高い単語だけを調べることには限界があり、登録辞書に漏れも発生する。また、スポットや人名のような時事的な単語や、何かの話題から使用頻度の上がった単語まで登録することは、期間的、工数的に困難である。 
【０００７】
このため、特に携帯端末のＥメール機能で知人と日常会話的なメールを交わしているユーザにとっては、使用頻度の高い単語が登録されていないことにより、単漢字変換又はカタカナ変換を利用した入力又はユーザ辞書登録という負荷をかけてしまう問題があった。
【０００８】
そこで、本発明は、単漢字変換若しくはカタカナ変換を利用した入力又はユーザ辞書登録という負荷をかけないことを課題とする。
【課題を解決するための手段】
【０００９】
上記課題を解決するための手段として、本発明は、単語変換機能を有する携帯端末と、当該携帯端末と通信可能なサーバとが接続される通信ネットワークシステムの通信方法において、前記携帯端末は、単語変換があった場合に、未登録単語か否かを判断し当該判断の結果、未登録単語である場合、当該単語変換された単語と当該単語の読み仮名と当該携帯端末のユーザとを前記サーバに送信すること、及び、前記サーバは、前記未登録単語に関する情報を受信した場合、当該単語と当該単語の読み仮名と当該携帯端末のユーザと当該ユーザが使用する単語の頻度とを登録することを特徴とする。
【００１０】
また、本発明は、前記サーバは、前記未登録単語を使用するユーザの数を確認し、さらに、前記未登録単語が使用される頻度を確認すること、及び、前記ユーザの数及び前記頻度が所定値以上である場合、前記未登録単語を所定の領域に登録することを特徴とする。
【００１１】
また、本発明は、前記携帯端末が前記所定の領域に登録された単語を要求するか、又は前記サーバが前記携帯端末に通知したとき、当該所定の領域に登録された単語を、前記携帯端末に送信することを特徴とする。
【００１２】
また、本発明は、単語変換機能を有する携帯端末と、当該携帯端末と通信可能なサーバとが接続される通信ネットワークシステムにおいて、前記携帯端末は、変換された単語が未登録であるか否かを判断する手段と、前記変換された単語と当該単語の読み仮名と当該携帯端末のユーザとを前記サーバに送信する手段と、を備え、前記サーバは、前記送信手段が送信した情報を受信する手段と、当該単語と当該単語の読み仮名と前記携帯端末のユーザと当該ユーザが使用する単語の頻度とを登録する手段と、を備えており、ここで、前記携帯端末は、前記単語変換があった場合、前記変換された単語が未登録であるか否かを判断し未登録である場合、前記送信手段で送信し、前記サーバは、前記受信手段による受信があった場合、前記登録手段によって登録することを特徴とする。
【００１３】
また、本発明は、前記サーバは、前記未登録単語を使用するユーザの数を確認する手段と、前記未登録単語が使用される頻度を確認する手段と、前記未登録単語を所定の領域に登録する手段と、をさらに備えており、ここで、前記ユーザの数及び前記頻度が所定値以上である場合、前記未登録単語を前記登録手段で登録することを特徴とする。
【００１４】
また、本発明は、前記サーバは、前記所定の領域に登録された未登録単語を前記携帯端末に送信する手段をさらに備え、ここで、前記携帯端末が前記所定の領域に登録された単語を要求するか、又は前記サーバが前記携帯端末に通知したとき、当該単語を前記携帯端末に前記送信手段で送信することを特徴とする。
【００１５】
また、本発明は、単語変換機能を有する携帯端末と、当該携帯端末と通信可能なサーバとが接続される通信ネットワークシステムの前記携帯端末において、変換された単語が未登録であるか否かを判断する手段と、前記変換された単語と当該単語の読み仮名と当該携帯端末のユーザとを前記サーバに送信する手段と、を備え、ここで、前記携帯端末は、前記単語変換があった場合、前記判断手段で前記変換された単語が未登録であるか否かを判断し、未登録である場合、前記送信手段で送信することを特徴とする。
【００１６】
また、本発明は、単語変換機能を有する携帯端末と、当該携帯端末と通信可能なサーバとが接続される通信ネットワークシステムの前記サーバにおいて、前記単語変換があった旨を受信する手段と、当該単語と当該単語の読み仮名と前記携帯端末のユーザと当該ユーザが使用する単語の頻度とを登録する手段と、を備えており、ここで、前記受信手段による受信があった場合、前記登録手段によって登録することを特徴とする。
【００１７】
また、本発明は、前記未登録単語を使用するユーザの数を確認する手段と、前記未登録単語が使用される頻度を確認する手段と、前記未登録単語を所定の領域に登録する手段と、を備えており、ここで、前記ユーザの数及び前記頻度が所定値以上である場合、前記未登録単語を前記登録手段で登録することを特徴とする。
【００１８】
また、本発明は、前記所定の領域に登録された単語を前記携帯端末に送信する手段をさらに備え、ここで、前記携帯端末が前記所定の領域に登録された単語を要求するか、又は前記サーバが前記携帯端末に通知したとき、当該単語を前記携帯端末に前記送信手段で送信することを特徴とする。
【発明の効果】
【００１９】
本発明によれば、変換される単語が未登録である否かを判断した上で、変換される単語を携帯端末からサーバに集め、その単語からユーザが頻繁に使用する未登録単語の辞書を作成し、これを携帯端末に配信するので、未登録の単語について自動的に収集・配布ができるようになる。
【００２０】
また、時事的な単語（時の人、有名スポットなど）の収集も行えるようにもなる。
【００２１】
さらにまた、ユーザの使用頻度を元にしているため、収集された単語は使用される率の高い、有用な辞書を作成することが可能となる。 
【００２２】
さらにまた、ダウンロード辞書の形をとるので、辞書の内容を常に更新して、使用頻度の高い単語だけにすることが可能なため、時事単語のようにスポット的に使用頻度が高い単語に対して有効な上、容量制限の高い携帯端末などにとっては、効果の高い辞書を有限なサイズで提供できるようにもなる。 
【発明を実施するための最良の形態】
【００２３】
以下、添付図面を参照して本発明を実施するための最良の実施の形態を説明する。
【００２４】
［構成の説明］
図１は、本実施の形態の携帯電話機１０１とサーバ１２０とを示すブロック図である。
【００２５】
図１に示すように、携帯電話機１０１は、本実施の形態の機能を実現するソフトウェアと携帯電話機１０１を制御するために必要な処理を含むソフトウェアが格納されているプログラム１０３と、プログラム１０３のソフトウェアに従って携帯電話機１０１の制御を行うプロセッサ１０２と、ユーザ辞書１０５とダウンロード辞書１０６と未登録単語リスト１０７のデータが格納される領域と、ソフトウェア処理に必要な作業エリアとを有するメモリ１０４と、内蔵辞書１０８と、Ｅメールやサーバ１２０との間でデータ送受信を行うための回線接続部１０９と、ユーザからのキーやポイティングデバイスによる操作を受け付ける入力装置１１０と、ユーザの操作に従ってユーザに処理結果を表示する画像表示部１１１とを含む。 
【００２６】
サーバ１２０は、本実施の形態の機能を実現するためのソフトウェア及びサーバを制御するために必要な全ての処理を含むソフトウェアが格納されているプログラム１２３と、プログラム１２３のソフトウェアに従ってサーバ１２０の制御を行うプロセッサ１２２と、携帯電話機１０１から送られてきた未登録単語のデータを格納するデータベースである未登録単語ＤＢ１２４と、未登録単語ＤＢ１２４から所定値以上のユーザ数に所定値以上の頻度で使用されていると判断された単語を切り分けて保管するデータベースである未登録単語ダウンロード辞書ＤＢ１２５と、ユーザが所有する携帯電話機１０１との間で未登録単語やダウンロード辞書の送受信を行うための回線接続部１２１とを含む。
【００２７】
携帯電話機１０１とサーバ１２０とは、インターネット２００を介して接続されている。 
【００２８】
図２は、携帯電話機１０１内の未登録単語リスト１０７の一例である。
【００２９】
携帯電話機１０１内の未登録単語リスト１０７は、単漢字変換やカタカナ変換した単語を登録するエリアである切り出し単語名２０２と、単漢字変換の時の入力仮名やカタカナ変換時の入力仮名を登録するエリアである読み仮名２０３と、使用した頻度を格納するエリアである頻度２０４とで構成される。 
【００３０】
図３は、サーバ１２０の未登録単語ＤＢ１２４の構造を示す一例である。
【００３１】
サーバ１２０の未登録単語ＤＢ１２４は、携帯電話機１０１でユーザが操作することにより単漢字変換やカタカナ変換にて入力された未登録単語が回線接続部１０９及び１２１の機能を用いて、サーバ１２０に送付された際にそのデータを登録するために使用される。
【００３２】
収集単語名３０２は未登録単語リスト１０７の切り出し単語名２０２を登録する。
【００３３】
読み仮名３０３は未登録単語リスト１０７の読み仮名２０３を登録する。
【００３４】
送付ユーザ３０４は送付してきた携帯電話機１０１を識別する情報（データ送信時に送られてくる携帯電話機１０１に個別にふられているユニークな番号など）を入力する。
【００３５】
頻度３０５は未登録単語リスト１０７の頻度２０４を登録する。同じ単語に対して複数のユーザが送付することを前提としているので、収集単語３０２及び読み仮名３０３の一つの対に対して、送付ユーザ３０４及び頻度３０５が複数になっていく。
【００３６】
プログラム１０３及びプログラム１２３に含まれる本実施の形態を実現するための処理ソフトウェアの部分を除き、それ以外のプログラム及び各装置又は部品は既知の技術で構成されている。
【００３７】
［動作の説明］ 
図４は、本実施の形態の未登録単語が入力された際に登録する動作を示すフローチャートである。
【００３８】
まず、文字入力操作が単漢字変換であったかを確認し（ステップＳ４０１）、そうであれば、一連の単漢字変換操作により漢字列と入力仮名を読み仮名として取り出す（ステップＳ４０２）。
【００３９】
文字入力操作が単漢字変換でなかった場合（ステップＳ４０１／Ｎｏ）、文字入力操作がカタカナ変換であったかを確認し（ステップＳ４０３）、カタカナ変換でもなかった場合、次の文字入力操作を待つためにステップＳ４０１に戻る。
【００４０】
単漢字変換又はカタカナ変換であった場合（ステップＳ４０１／Ｙｅｓ及びステップＳ４０３／Ｙｅｓ）、未登録単語リスト１０７に登録済みの単語か否かの確認を行い（ステップＳ４０４）、登録済みであれば（ステップＳ４０４／Ｙｅｓ）、未登録単語リスト１０７の相当単語の頻度２０４をカウントアップする（ステップＳ４０５）。
【００４１】
新規のものであれば（ステップＳ４０４／Ｎｏ）、未登録単語リスト１０７に、切り出し単語名２０２、読み仮名２０３、頻度２０４を登録する（ステップＳ４０６）。
【００４２】
登録が終わると、未登録単語リスト１０７をサーバ１２０に送信して（ステップＳ４０７）、処理が終了する。 
【００４３】
図５は、本実施の形態の携帯端末１００から送信された未登録単語を未登録単語ＤＢ１２４に登録する動作を示すフローチャートである。 
【００４４】
サーバ１２０は携帯電話機１０１から未登録単語が送られてきているか監視しており（ステップＳ５０１）、受信したら未登録単語情報を受け取る（ステップＳ５０２）。
【００４５】
受け取った未登録単語について、未登録単語ＤＢ１２４に登録済み単語か否かを確認し（ステップＳ５０３）、未登録であれば（ステップＳ５０３／Ｎｏ）、未登録単語ＤＢ１２４に、収集単語名３０２、読み仮名３０３、送付ユーザ３０４及び頻度３０５を登録する（ステップＳ５０４）。
【００４６】
単語が登録済みであれば（ステップＳ５０３／Ｙｅｓ）、既に登録済みユーザから送られてきた単語であるか否かを確認し（ステップＳ５０５）、新しいユーザからであれば（ステップＳ５０５／Ｎｏ）、未登録単語ＤＢ１２４の相当単語の箇所に、送付ユーザ３０４、頻度３０５を追加登録する（ステップＳ５０６）。
【００４７】
既に登録しているユーザからであれば（ステップＳ５０５／Ｙｅｓ）、未登録単語ＤＢ１２４の相当ユーザの頻度３０５を更新する（ステップＳ５０７）。 
【００４８】
図６は、未登録単語ダウンロード辞書ＤＢ１２５を登録し作成する動作を示すフローチャートである。
【００４９】
まず、未登録単語ＤＢ１２４に登録されている単語をポイントする変数iを初期化し（ステップＳ６０１）、i番目の未登録単語について登録されている送付ユーザ３０４の数が所定値以上か否かを確認し（ステップＳ６０２）、所定値以上であれば（ステップＳ６０２／Ｙｅｓ）、頻度３０５が所定値以上か否かを確認し（ステップＳ６０３）、所定値以上であれば未登録単語ダウンロード辞書ＤＢ１２５に未登録単語として登録する（ステップＳ６０４）。
【００５０】
次の未登録単語を指すためにポインタを進め（ステップＳ６０５）、まだポイントされる単語があるか否かを確認し（ステップＳ６０６）、あれば（ステップＳ６０６／Ｙｅｓ）、ステップＳ６０２に戻って次の未登録単語の確認を進める。
【００５１】
ポイントする単語がなければ（ステップＳ６０６／Ｎｏ）、未登録単語ダウンロード辞書ＤＢ１２５の更新を終了する。
【００５２】
以上のようにして作成された未登録単語ダウンロード辞書は、サーバ１２０から携帯電話機１０１に配信されるか、携帯電話機１０１の要求により送付して、携帯電話機１０１でダウンロード辞書として使用される。  
【００５３】
上記の動作においては、ユーザの携帯電話機１０１の操作による単漢字変換やカタカナ変換による未登録単語の変換をもとに未登録単語の切り出しを行っていた。
【００５４】
しかし、この場合、読み仮名について弱点がある。必ずしも、正しい読み仮名入力で変換できたとは限らない。 
【００５５】
そこで、ユーザが辞書登録した単語をサーバ１２０に送って複数のユーザが希望する最大公約数的な単語をダウンロード辞書にする方法が考えられる。 
【００５６】
ただし、すべてのユーザ辞書を送付するのはプライベートの観点から避けたいユーザについては、ユーザがマークした希望する単語のみを送信することも考えられる。 
【００５７】
ユーザ辞書を使うという点を除けば、上記の実施の形態で説明した処理の流れと基本的には同じである。
【００５８】
なお、上記の実施の形態では、携帯端末として携帯電話機を用いたが、携帯通信情報端末（ＰＤＡ：Personal Digital Assistant）や、パーソナルコンピュータとしてもよい。
【００５９】
また、単語変換の例として単漢字変換やカタカナ変換を用いたが、英単語変換などの場合にも適用してもよい。
【図面の簡単な説明】
【００６０】
【図１】本実施の形態の携帯電話機１０１とサーバ１２０とを示すブロック図である。
【図２】携帯電話機１０１内の未登録単語リスト１０７を示す一例である。
【図３】サーバ１２０の未登録単語ＤＢ１２４を示す一例である。
【図４】本実施の形態の未登録単語が入力された際に登録する動作を示すフローチャートである。
【図５】本実施の形態の携帯端末１００から送信された未登録単語を未登録単語ＤＢ１２４に登録する動作を示すフローチャートである。
【図６】未登録単語ダウンロード辞書ＤＢ１２５を登録し作成する動作を示すフローチャートである。
【符号の説明】
【００６１】
１０１  携帯電話機
１０２  プロセッサ
１０３  プログラム
１０４  メモリ
１０５  ユーザ辞書
１０６  ダウンロード辞書
１０７  未登録単語リスト
１０８  内蔵辞書
１０９  回線接続部
１１０  入力装置
１１１  画像表示部
１２０  サーバ
１２１  回線接続部
１２２  プロセッサ
１２３  プログラム
１２４  未登録単語ＤＢ
１２５  未登録単語ダウンロード辞書ＤＢ
２００  インターネット
【図１】
2005258888.tif 000003
【図２】
2005258888.tif 000004
【図３】
2005258888.tif 000005
【図４】
2005258888.tif 000006
【図５】
2005258888.tif 000007
【図６】
2005258888.tif 000008